(57)【要約】【課題】            乳幼児については排尿、排便があったこと、強いては尿意や便意を保護者等に知らせる習慣がなかなかつかないことであり、それによっておむつ離れが遅れてしまうことであり、寝たきり老人等の場合には定期的なチェックやおむつ交換が看護人や介護人にとって大きな負担となり、時としておむつ着用者の状況が不衛生なものとなってしまうという点である。【解決手段】        おむつは内側の股間対応部分に湿気を検知するセンサーを備え、そのセンサーが湿気を検知すると発信器が作動し、受信器にその情報を告知するようにしたこととし、前記したセンサーはステンレス線電極又カーボン製電極等をポリエステルフィルムで両面から挟持溶着し、そのポリエステルフィルムの一方面に孔を設けて前記したステンレス線電極又カーボン製電極等の一部を露出した構成としたものであることとし、前記したセンサーは水分が加えられると表面が溶け、内部に包合された無害気体が泡となって股間を刺激する起泡物を具備したシートパッドの内部に配備されることとする。【選択図】          図１
2005218733.tif 000002
【特許請求の範囲】
【請求項１】
内側の股間対応部分に湿気を検知するセンサーを備え、そのセンサーが湿気を検知すると発信器が作動し、受信器にその情報を告知するようにしたことを特徴とするおむつ。
【請求項２】
前記したセンサーはステンレス線電極又カーボン製電極等をポリエステルフィルムで両面から挟持溶着し、そのポリエステルフィルムの一方面に孔を設けて前記したステンレス線電極又カーボン製電極等の一部を露出した構成としたものであることを特徴とする請求項１に記載のおむつ。
【請求項３】
前記したセンサーは水分が加えられると表面が溶け、内部に包合された無害気体が泡となって股間を刺激する起泡物を具備したシートパッドの内部に配備されることを特徴とする請求項１または請求項２に記載のおむつ。
【請求項４】
前記起泡物は二酸化炭素等のガスを内部に気泡として封入された可溶物とし、界面活性剤や蛋白質等の起泡剤も練入した顆粒等の小塊物もしくはパウダー化されたものであることを特徴とする請求項３に記載のおむつ。
【請求項５】
前記起泡物は多ポーラスのセラミック粒としたことを特徴とする請求項３に記載のおむつ。
【発明の詳細な説明】
【技術分野】
【０００１】
本発明は乳幼児や被介護人等が使用する排泄物を受けるためのおむつの改良に関する。
【背景技術】
【０００２】
現在、市販されているおむつはいわゆるパンツタイプが主流とされ、着脱作業が容易となっており、さらには吸水性効果と柔軟性の大きいシートパッドが股間対応部分に設けられているため、頻繁な交換をしなくとも着用者に不快感や違和感を与えることなく尿等の排泄があっても長時間に亘る継続使用を可能としている。
【０００３】
しかしながら、このおむつの現状は保護者や介護人にとって交換頻度を減らすことで都合の良いものとなっているが、逆に着用者からすると例えば乳幼児の場合にはその快適さ故に排尿等をしたこと、強いては尿意や便意をもようしても、それを保護者に知らしめることがなくなり、いわゆるおむつ離れが遅くなってしまう事態を生じている。
【０００４】
また、着用者が例えば寝たきり老人等の場合には、看護人、介護人が一定時間間隔をもっておむつの濡れ具合をチェックし、交換する作業となるが、この場合にも各人、あるいは時候等によって排尿の頻度等は異なり、時として不衛生で不健康な状況となってしまうこともあり、加えて定期的なチェック作業は病院や養護施設等にあっては非常に労力と注意力を強いられるものとなっている。
【特許文献１】特開２０００−３３３９８９号公報
【特許文献２】特開２００１−１６１７３２号公報
【特許文献３】特開２００１−３３７０８６号公報
【発明の開示】
【発明が解決しようとする課題】
【０００５】
本発明が解決しようとする課題は、乳幼児については排尿、排便があったこと、強いては尿意や便意を保護者等に知らせる習慣がなかなかつかないことであり、それによっておむつ離れが遅れてしまうことであり、寝たきり老人等の場合には定期的なチェックやおむつ交換が看護人や介護人にとって大きな負担となり、時としておむつ着用者の状況が不衛生なものとなってしまうという点である。
【課題を解決するための手段】
【０００６】
上記した問題点を解決するために、本発明に係るおむつは内側の股間対応部分に湿気を検知するセンサーを備え、そのセンサーが湿気を検知すると発信器が作動し、受信器にその情報を告知するようにしたことを特徴とし、前記したセンサーはステンレス線電極又カーボン製電極等をポリエステルフィルムで両面から挟持溶着し、そのポリエステルフィルムの一方面に孔を設けて前記したステンレス線電極又カーボン製電極等の一部を露出した構成としたものであることを特徴としている。
【０００７】
また、本発明に係るおむつは前記したセンサーは水分が加えられると表面が溶け、内部に包合された無害気体が泡となって股間を刺激する起泡物を具備したシートパッドの内部に配備されることを特徴とし、前記起泡物は二酸化炭素等のガスを内部に気泡として封入された可溶物とし、界面活性剤や蛋白質等の起泡剤も練入した顆粒等の小塊物もしくはパウダー化されたものであることを特徴とし、前記起泡物は多ポーラスのセラミック粒としたことを特徴としている。
【発明の効果】
【０００８】
本発明に係るおむつは上記した構成としたことにより、排尿、排便があり一定基準値よりも含んだ水分が多くなるとそれをセンサーが検知し、保護者等が保持、あるいは所定場所に設置された受信器に対し、発信器より送信がなされる。従って受信器が受信し、その旨を文字表示したり、アラーム等が鳴動する等した時にのみおむつの交換作業を行なえば済むこととなり、これは病院や施設等にあっては定期的にチェックする労力や時間を節減し、人件費の抑制にも役立つこととなる。
【０００９】
また、起泡物を具備することによって、乳幼児が排尿、排便した際に加えられる水分及び加温によって、その表面が溶け内部の無害気体が泡となって股間を刺激することとなり、その違和感から数回の後に便意、尿意をもようした時点で保護者等にその旨を知らしめる習慣がつき、おむつ離れを早めることができる効果がある。
【発明を実施するための最良の形態】
【００１０】
実施例として図面に示すような形態、構成として本発明の目的を達成することができるように実現した。
【実施例１】
【００１１】
次に、本発明の好ましい実施の一例を図面を参照して説明する。図１は本発明を実施したおむつを示す概念斜視図、図２は同じく湿気センサーを示す部分平面図、図３は同じく断面図、図４はシートパッド部分の断面図、図５はチャートブロック図である。
【００１２】
これらの図にあって１は本発明を実施したおむつ本体を示している。このおむつ本体１はパンツ型のものとされており、ウエスト部分と内股部分にはゴム等が備えられて簡易な脱落が生じないように図られている。
【００１３】
このおむつ本体１の内側である股間対応部分には吸水性のシートパッド２が備えられている。このシートパッド２は交換可能なように、例えばループファスナー、ボタン、ホック等の任意の手段で位置ずれを生じないように着脱可能とする事も出来る。
【００１４】
本実施例ではこのシートパッド２内には多数の起泡物３・３‥が散在されている。この起泡物３・３‥は顆粒もしくはそれよりやや大きめの小塊物となっており、二酸化炭素をはじめとするガス気泡が内部に包合され固化されたもので水分が加えられるとその表面が溶け、内部のガスが泡となって上昇する構成となっている。
【００１５】
この起泡物３・３‥の表面剤としては上記した構成を容易に構成できる水飴や蜂蜜等のほか、通気性を抑えた薄紙や、可溶でんぷん等が考えられる。
【００１６】
また、この起泡物３・３‥には界面活性剤や蛋白質等の起泡剤を添加しておくと、その起泡能力が増強され、より強い泡刺激が得られることとなる。さらに、この起泡物３・３‥はシートパッド２内に散在させず、不織布や微細目の網等で形成された容器（袋）に収納し、別途にシートパッド２と重ね配置することもできる。かかる場合には起泡物３・３‥として多ポーラスのセラミック粒を使用することもでき、この多ポーラスセラミック粒は加水することで既にポーラス内にある空気が押し出される形で泡となり、刺激を与えることとなる。なお、起泡物３・３‥が泡を生じるのは尿や便の水分が加えられるに加え、その尿や便の有する温度が加えられることが同時に作用する結果となる。
【００１７】
さらに、本実施例にあっては前記したシートパッド２の内側あるいは内部に湿り気（湿気）を検知するシート状としたセンサー４が備えられている。ここにおけるセンサー４はステンレス線電極又カーボン製電極等５をポリエステルフィルム６ａ・６ｂで両面から挟持溶着し、一方のポリエステルフィルム６ａに孔７・７‥を穿設して前起したステンレス線電極又カーボン製電極等５の一部を露出したものとしてあり、ここに湿気が触れることで電気抵抗を変化させることとしている。又複数の線が並んでいる所へ水分等が付着した時も配線同士が排尿や排便の水分のためショート状態となり発信器に知らせる事も出来る。
【００１８】
このセンサー４には発信器（送信器）８が電気的に接続されており、一定値以上の湿気が検知されると前記発信器８が作用するものとなっている。実施例の図ではセンサー４から電気コード９を延設し、カプラソケット１０で発信器８と接続するようにしてあるが、この発信器８はセンサー４と共におむつ本体１に組み入れてしまうこともできる。
【００１９】
かかる場合には発信器８からの信号が受信器１１へ到達するのに距離がある場合、特に他の電子機器への影響を考慮して微弱電波を使用する場合には途中に中継器を介することによって解消される。また、発信信号にＩＣコードを持たせると特定の携帯電話機等へ送信し、表示画面にその旨を示すことや、ナースセンター等にあっては発信者が誰であるかの認識も一見して知ることも可能となる。
【産業上の利用可能性】
【００２０】
本発明に係るおむつは上記のように構成されている。特に起泡物の使用はおむつに限らなくともパック製品等として下着内面に配備すると、幼児をはじめとして夜尿癖の改善等に応用することもできる。
【図面の簡単な説明】
【００２１】
【図１】本発明を実施したおむつを示す概念斜視図である。
【図２】湿気センサーを示す部分平面図である。
【図３】断面図である。
【図４】シートパッド部分の断面図である。
【図５】チャートブロック図である。
【符号の説明】
【００２２】
１    おむつ本体
２    シートパッド
３    起泡物
４    センサー
５    ステンレス線電極又カーボン製電極等
６ａ  ポリエステルフィルム
６ｂ  ポリエステルフィルム
７    孔
８    発信器
９    電気コード
１０  カプラソケット
１１  受信器
【図１】
2005218733.tif 000003
【図２】
2005218733.tif 000004
【図３】
2005218733.tif 000005
【図４】
2005218733.tif 000006
【図５】
2005218733.tif 000007